(57)【要約】【課題】狭い部分の掃除を容易にするとともに、電気掃除機を安定した状態で保持することができる電気掃除機を提供する。【解決手段】延長パイプ２０６の上部に取っ手１０２を有する電動吸引部１１０を設け、延長パイプ２０６の下部にノズル部１３０を設けた掃除機本体１００と、掃除機本体１００が横方向に移動できない障壁２０８をスタンド腕部２０６が有し、掃除機本体１００の重心がスタンド台部２０２の底面の略中心に来るように構成されたスタンド部２００と、から構成する。【選択図】図４
2014124443.tif 000002
【特許請求の範囲】
【請求項１】
取っ手と吸引口とを有する電動吸引部と、
前記電動吸引部の背面に設置された被係止部と、
前記吸引口に一端が接続された延長パイプと、
前記延長パイプの他端に接続されたノズル部と、
を有する掃除機本体と、
前記ノズル部の底面が載置され、前記ノズル部の前縁を保持するための前縁突起部を有するスタンド台部と、
前記スタンド台部の上方向に配置されたスタンド腕部と、
前記スタンド腕部の上部に設けられ、前記被係止部を係止するための係止部と、
を有するスタンド部と、
から構成され、
前記スタンド腕部は、前記係止部に前記被係止部を係止し、前記スタンド台部の前記前縁突起部に前記ノズル部の前縁を保持した状態で、前記掃除機本体の背面側を立て掛けたときに前記掃除機本体が横方向に移動できないようにするための障壁を有し、前記係止部に前記被係止部が係止されると前記掃除機本体の重心が前記スタンド台部の底面の略中心に来るように構成されていることを特徴とする電気掃除機。
【請求項２】
前記電動吸引部は、前記電動吸引部を動作させるための充電池を備え、
前記スタンド部は、前記充電池を充電するための充電接点を前記係止部の近辺に有し、前記電動吸引部は、前記被係止部の近辺の前記充電接点と対向する位置に被充電接点を有することを特徴とする請求項１に記載の電気掃除機。
【発明の詳細な説明】
【技術分野】
【０００１】
本発明は、スティック型の電気掃除機に関する。
【背景技術】
【０００２】
従来のスティック型の電気掃除機は、例えば特許文献１に示すようにスティックの下部に電気掃除機本体を設けた構成が多い。このような構成のスティック型電気掃除機は、重量があるモーター部分を含む電気掃除機本体が床に近い側にあるので壁などに立て掛けてもバランスがよい。しかしながら、従来のスティック型の電気掃除機では、電気掃除機本体が床側にあるため、家具の隙間やベッドの下などの空間を掃除する際に電気掃除機本体がぶつかってしまうため、狭い部分の掃除が困難である。
【０００３】
この問題を解決するために、例えば特許文献２に示すように、電気掃除機本体がスティックの上部に設けられ、電気掃除機本体の下方向に延長パイプとノズル部とを設けた電気掃除機が開示されている。
【先行技術文献】
【特許文献】
【０００４】
【特許文献１】特開２００７−８９８９５号公報（図１など）
【特許文献２】特開２０１２−５０５６５号公報（図１など）
【発明の概要】
【発明が解決しようとする課題】
【０００５】
しかしながら、従来の特許文献２に示すようなスティック型の電気掃除機では、そのまま横向きに置くと場所を取り、壁などに立て掛けて置くと、電気掃除機本体が上部にあるためバランスが悪く、倒れやすいという課題がある。
【０００６】
本発明は、上述した従来技術の問題点を解決するためになされたものであり、その目的は、スティック型の上部に電気掃除機本体を設けることにより、狭い部分の掃除を容易にするとともに、電気掃除機を安定した状態で保持することができる電気掃除機を提供することである。
【課題を解決するための手段】
【０００７】
本発明のある態様による電気掃除機は、取っ手と吸引口とを有する電動吸引部と、前記電動吸引部の背面に設置された被係止部と、前記吸引口に一端が接続された延長パイプと、前記延長パイプの他端に接続されたノズル部と、を有する掃除機本体と、前記ノズル部の底面が載置され、前記ノズル部の前縁を保持するための前縁突起部を有するスタンド台部と、前記スタンド台部の上方向に配置されたスタンド腕部と、前記スタンド腕部の上部に設けられ、前記被係止部を係止するための係止部と、を有するスタンド部と、から構成され、前記スタンド腕部は、前記係止部に前記被係止部を係止し、前記スタンド台部の前記前縁突起部に前記ノズル部の前縁を保持した状態で、前記掃除機本体の背面側を立て掛けたときに前記掃除機本体が横方向に移動できないようにするための障壁を有し、前記係止部に前記被係止部が係止されると前記掃除機本体の重心が前記スタンド台部の底面の略中心に来るように構成されていることを特徴とする。
【０００８】
この構成によれば、延長パイプの上部に取っ手を有する電動吸引部を設け、延長パイプの下部にノズル部を設けた電気掃除機本体と、掃除機本体が横方向に移動できないようにスタンド腕部に障壁を設け、電気掃除機本体の重心がスタンド台部の底面の略中心に来るように構成されたスタンド部と、から構成することにより、狭い部分の掃除を容易にするとともに、電気掃除機を安定した状態で保持することができる。
【０００９】
上記電気掃除機において、前記電動吸引部は、前記電動吸引部を動作させるための充電池を備え、前記スタンド部は、前記充電池を充電するための充電接点を前記係止部の近辺に有し、前記電動吸引部は、前記被係止部の近辺の前記充電接点と対向する位置に被充電接点を有するようにしてもよい。
【００１０】
こうすれば、掃除機本体とスタンド部とが係止部と被係止部とで係止されることにより、充電接点と被充電接点とを確実に接触させることができるので、スタンド部から掃除機本体の充電池を確実に充電することができる。
【発明の効果】
【００１１】
本発明によれば、延長パイプの上部に取っ手を有する電動吸引部を設け、延長パイプの下部にノズル部を設けた電気掃除機本体と、掃除機本体が横方向に移動できないようにスタンド腕部に障壁を設け、電気掃除機本体の重心がスタンド台部の底面の略中心に来るように構成されたスタンド部と、から構成することにより、狭い部分の掃除を容易にするとともに、電気掃除機を安定した状態で保持することができる。また、掃除機本体とスタンド部とが係止部と被係止部とで係止されることにより、充電接点と被充電接点とを確実に接触させることができるので、スタンド部から掃除機本体の充電池を確実に充電することができる。
【図面の簡単な説明】
【００１２】
【図１】本発明の第１の実施形態に係る電気掃除機の構成を示す側面断面図である。
【図２】本発明の第１の実施形態に係る電気掃除機の係止及び電気接点の構成を示す図である。
【図３】本発明の第１の実施形態に係る電気掃除機の電気掃除機本体がスタンド部から離れた状態を示す斜視図である。
【図４】本発明の第１の実施形態に係る電気掃除機の重心位置を示す側面図である。
【発明を実施するための形態】
【００１３】
以下、電気掃除機の実施形態について図面に従って説明する。以下に参照する各図において、他の図と同等部分は同一符号を付して説明する。
【００１４】
（第１の実施形態）
先ず、第１の実施形態に係る電気掃除機の構成について、図１を参照して説明する。図１は、第１の実施形態に係る電気掃除機の構成を示す側面断面図である。図１（Ａ）に示すように、電気掃除機は、掃除機本体１００とスタンド部２００とから構成されている。
【００１５】
掃除機本体１００は、電動吸引部１１０と延長パイプ１２０とノズル部１３０とから構成されている。電動吸引部１１０は、上部に取っ手１０２を有し、取っ手１０２を握った状態で操作できる位置にスイッチ１０４が配置されている。電動吸引部１１０は、充電池１４０とモーター１１２とファン１１４と集塵室１１６とを有し、モーター１１２は充電池１４０で動作する。モーター１１２の軸にはファン１１４が取り付けられ、ファン１１４の向かいに集塵室１１６が設けられている。電動吸引部１１０は、集塵室１１６と繋がる吸引口１１８を有する。延長パイプ１２０は、一端が吸引口１１８に接続され、他端がノズル部１３０に接続されている。
【００１６】
スタンド部２００は、スタンド台部２０２とスタンド腕部２０６とから構成されている。スタンド台部２０２は、ノズル部１３０が斜めに載置されるように前半分が傾斜を持っており、ノズル部１３０の前縁１３２が保持されるように前縁突起部２０４を有している。スタンド腕部２０６は、スタンド台部２０２の上方向に配置されている。
【００１７】
図１（Ｂ）は、図１（Ａ）の一点鎖線の四角Ａで囲まれた部分を拡大した図である。図１（Ｂ）に示すように、スタンド腕部２０６の上部には、係止部２１０と充電接点２１２とが設置されている。また、電動吸引部１１０の背面には、被係止部１５０と被充電接点１５２とが設置されている。電動吸引部１１０の背面の被係止部１５０がスタンド腕部２０６の上部の係止部２１０に係止されると、被充電接点１５２と充電接点２１２とが接するように構成されている。
【００１８】
次に、第１の実施形態に係る電気掃除機の係止及び電気接点の構成について、図２を参照して説明する。図２は、第１の実施形態に係る電気掃除機の係止及び電気接点の構成を示す図である。図２（Ａ）は、電動吸引部１１０の背面図である。図２（Ａ）に示すように、電動吸引部１１０の背面には、被係止部１５０と被充電接点１５２とが設置されている。図２（Ｂ）は、スタンド腕部２０６の上部の正面図である。図２（Ｂ）に示すように、スタンド腕部２０６の上部には、係止部２１０と充電接点２１２とが設置されている。図２（Ｂ）において、スタンド腕部２０６は、掃除機本体１００の背面側を立て掛けたときに掃除機本体１００が横方向に移動できないようにするための障壁２０８を有する。
【００１９】
次に、第１の実施形態に係る電気掃除機の電気掃除機本体がスタンド部から離れた状態について、図３を参照して説明する。図３は、第１の実施形態に係る電気掃除機の電気掃除機本体がスタンド部から離れた状態を示す斜視図である。図３に示すように、スタンド部２００は、スタンド腕部２０６の両側に障壁２０８が設けられている。このため、電気掃除機本体１００がスタンド部２００の係止部２１０に係止され、ノズル部１３０の前縁１３２がスタンド台部２０２の前縁突起部２０４に保持されると、障壁２０８により電気掃除機本体１００が横方向に移動できない状態になる。
【００２０】
次に、第１の実施形態に係る電気掃除機の重心位置について、図４を参照して説明する。図４は、第１の実施形態に係る電気掃除機の重心位置を示す側面図である。図４の一点鎖線Ｂは、スタンド台部２０２の底面の中心から鉛直方向に延びる線を示している。図４に示すように、電気掃除機本体１００がスタンド部２００の係止部２１０に係止され、ノズル部１３０の前縁１３２がスタンド台部２０２の前縁突起部２０４に保持されると、電気掃除機本体１００の重心がスタンド台部２０２の底面の略中心に来るようにスタンド腕部２０６が構成されている。つまり、スタンド腕部２０６の区間Ｃは、電動吸引部１１０の背面の出っ張りを吸収するように一点鎖線Ｂよりも後退しており、スタンド腕部２０６の区間Ｄは、延長パイプ２０６の背面が立て掛けられるように一点鎖線Ｂの近くにあり、スタンド腕部２０６の区間Ｅは、ノズル部１３０が当らないようにスタンド腕部２０６の区間Ｄからスタンド台部２０２の後縁側に向かって湾曲している。
【００２１】
以上に述べた第１の実施形態によれば、以下の効果が得られる。
【００２２】
第１の実施形態では、延長パイプ１２０の上部に取っ手１０２を有する電動吸引部１１０を設け、延長パイプ１２０の下部にノズル部１３０を設けた掃除機本体１００と、掃除機本体１００が横方向に移動できない障壁２０８をスタンド腕部２０６が有し、掃除機本体１００の重心がスタンド台部２０２の底面の略中心に来るように構成されたスタンド部２００と、から構成することにより、狭い部分の掃除を容易にするとともに、電気掃除機を安定した状態で保持することができる。また、掃除機本体１００とスタンド部２００とが被係止部１５０と係止部２１０とで係止されることにより、被充電接点１５２と充電接点２１２とを確実に接触させることができるので、スタンド部２００から掃除機本体１００の充電池１４０を確実に充電することができる。
【００２３】
（変形例１）
第１の実施形態では、電動吸引部１１０が充電池１４０で動作する場合について説明したが、電動吸引部１１０が外部電源で動作するようにしてもよい。
【００２４】
なお、本発明の範囲は、図示され記載された例示的な実施形態に限定されるものではなく、本発明が目的とするものと均等な効果をもたらすすべての実施形態をも含む。さらに、本発明の範囲は、請求項により画される発明の特徴の組み合わせに限定されるものではなく、すべての開示されたそれぞれの特徴のうち特定の特徴のあらゆる所望する組み合わせによって画されうる。
【産業上の利用可能性】
【００２５】
本発明は、延長パイプの上部に取っ手を有する電動吸引部を設け、延長パイプの下部にノズル部を設けた電気掃除機本体と、電気掃除機本体の重心がスタンド台部の底面の略中心に来るように構成されたスタンド部と、から構成された電気掃除機に利用することができる。
【符号の説明】
【００２６】
１００  掃除機本体
１０２  取っ手
１０４  スイッチ
１１０  電動吸引部
１１２  モーター
１１４  ファン
１１６  集塵室
１１８  吸引口
１２０  延長パイプ
１３０  ノズル部
１４０  充電池
１５０  被係止部
１５２  被充電接点
２００  スタンド部
２０２  スタンド台部
２０４  前縁突起部
２０６  スタンド腕部
２０８  障壁
２１０  係止部
２１２  充電接点
【図１】
2014124443.tif 000003
【図２】
2014124443.tif 000004
【図３】
2014124443.tif 000005
【図４】
2014124443.tif 000006